(57)【要約】      （修正有）【課題】コンパクトで再分離が可能であり、導通の確実な電線コネクタを実現する。【解決手段】先端に凸形の嵌合部とこれに続くねじ部を有し、後端側で電線に接続するスリーブ１と、先端に凹形の嵌合部とこれに続くつば部を有し、後端側で電線に接続するスリーブ２と、前記ねじ部とねじ結合し、前記つば部に係合してこれをねじ部の方向へ引き寄せる袋ナット３でコネクタを構成する。【選択図】図１
2009295350.tif 000002
【特許請求の範囲】
【請求項１】
先端に凸形の嵌合部とこれに続くねじ部を有し、後端側で電線に接続するスリーブと、先端に凹形の嵌合部とこれに続くつば部を有し、後端側で電線に接続するスリーブと、前記ねじ部とねじ結合し、前記つば部に係合してこれをねじ部の方向へ引き寄せる袋ナットとからなる電線コネクタ。
【請求項２】
両側のスリーブおよび袋ナットが絶縁性の樹脂チューブで密着して包まれている請求項１に記載の電線コネクタ。
【発明の詳細な説明】
【技術分野】
【０００１】
本発明は、電気機器に使用する電線の、配線途中に使用するコネクタに関する。
【背景技術】
【０００２】
電線の接続は、接続箇所において電気抵抗を増加させないこと、電線の機械的強度を減少させないことなどが必要であり、分離、結合の頻度によって、スリーブ方式とコネクタ方式とが選択される。スリーブ方式は電線を金属製のスリーブで包み、かしめて固定するもので、一旦結合したら原則として頻繁な分離を行わない箇所に使用される。
一方のコネクタ方式は、例えば家庭用電気製品であれば「延長コード」などに見られるオス、メス１対のコネクタが一般的であるが、屋外に設けられるコネクタではゆるみ止めおよび防水対策を施したものを使用することが必要である。
【０００３】
工業機器のコネクタとしては、例えば電気車両用の「ジャンパ連結器」としてＪＩＳ  Ｅ  ４２０２が制定されており、（現在このＪＩＳは廃止されている）付図として差し込み式と突き合わせ式の電線コネクタが示されている。これを図５、図６により簡単に説明する。
図５は差し込み式の例で、４は栓、４１はその主要部であるスリーブ、４２は周囲の絶縁台、５は栓受け、５１はその主要部であるプラグ、５２は周囲の絶縁台である。電車などの電気車において栓は車両間のジャンパケーブルの端部に取り付けられ、栓受けは車両の端部に設けられる。機械的な結合は両側の絶縁台を収めるケーシングにおいて行われ、同時にプラグ５１がスリーブ４１に挿入され、それぞれに接続されている電線が電気的に接続される。矢印は切り離し位置を示す。  
【０００４】
図６は突き合わせ式の例で、６は栓、６１はその主要部であるピン、６２は周囲の絶縁台、７は栓受け、７１はその主要部であるピン、７２ａ、７２ｂは周囲の絶縁台、７３は導電ばねである。この場合も機械的な結合は両側の絶縁台を収めるケーシングにおいて行われる。栓受け側の絶縁台７２ａ、７２ｂはケーシング内で一体となっている。ピン６１、７１は突き合わせによる先端面の接触であるが、接触を確実にするため、ピン７１は導電ばね７３を介して出入可能となっており、ケーシングが結合された状態でピン７１はやや押し込まれた状態でピン６１と接触する。矢印は切り離し位置を示す。
【０００５】
特許文献１には、図６と同様にばねの入ったピンコンタクトが記載されている。これを図７に示す。８はピンコンタクト、８１はその先端部であるピン、８２は本体、８３は導電ばねである。導電ばね８３で押すことによって、機器の遠心力や微振動による接触不良が生じることを防止している。
【特許文献１】特開平１１−８００３号公報
【発明の開示】
【発明が解決しようとする課題】
【０００６】
前記のコネクタは、周囲のケーシング部分で機械的結合を図るため寸法的に大型になるという問題点を有する。また、ばねの押しつけ力で電流の導通を確保するので、振動の激しい場所などでは確実性に乏しいという問題点もある。
本発明は、コンパクトで再分離可能であり、導通の確実な電線コネクタを実現することを目的とする。
【課題を解決するための手段】
【０００７】
本発明は、先端に凸形の嵌合部とこれに続くねじ部を有し、後端側で電線に接続するスリーブと、先端に凹形の嵌合部とこれに続くつば部を有し、後端側で電線に接続するスリーブと、前記ねじ部とねじ結合し、前記つば部に係合してこれをねじ部の方向へ引き寄せる袋ナットとからなる電線コネクタであり、望ましくは、両側のスリーブおよび袋ナットが絶縁性の樹脂チューブで密着して包まれている前記の電線コネクタである。
【発明の効果】
【０００８】
本発明によれば、コンパクトで再分離可能であり、導通の確実な電線コネクタが実現するという、すぐれた効果を奏する。
【発明を実施するための最良の形態】
【０００９】
本発明の好ましい実施例を図面により説明する。図１は、実施例の電線コネクタの組立図で、１は一方のスリーブ、２は他方のスリーブ、３は両者を結合する袋ナットである。
図２は一方のスリーブ１の断面図、図３は他方のスリーブ２の断面図である。スリーブ１は先端に凸形で円錐状の嵌合部１１と、これに続くねじ部１２を有し、後端側１３で電線に接続する。またスリーブ２は先端に凹形で円錐状の嵌合部２１と、これに続くつば部２２を有し、後端側２３で内部の電線に接続する。スリーブ１、２はいずれも銅、真鍮等の導電性の金属製である。後端側１３、２３ではスリーブを押しつぶし、いわゆる「かしめ」によって電線との接触と固定を行う。
【００１０】
スリーブ１とスリーブ２が突き合わされると、まずそれぞれの先端の円錐状の嵌合部１１、２１が嵌合する。両者は同一のテーパの凹凸に仕上げられていることはいうまでもないが、テーパ面の誤差を考えれば、テーパの先端よりも、根元で強く当たるように仕上げられていることが接触面が広くなるので好ましい。
嵌合部１１、２１は円錐状でなくとも、例えば球面の凹凸面でもよい。ただ、単なる突き合わせ面ではなく、嵌合する凹凸面であることが望ましい。また、凹面、あるいは凸面のいずれかに直径方向、あるいは十文字のすり割り（スリット）を設け、ばね作用で密着させるようにすることは望ましい。
【００１１】
図４は袋ナット３の（ａ）は断面図、（ｂ）は左側面図で、３１は段付き部、３２はねじ部である。
図１に示すように、図４（ａ）とは逆向きに袋ナット３をスリーブ２にかぶせ、スリーブ１に突き合わせた状態でスリーブ１のねじ部１２にむけてねじ込んで行くと、袋ナット３の段付き部３１がスリーブ２のつば部２２をスリーブ１に向けて引き寄せるので、円錐状の嵌合部１１、２１が嵌合する。嵌合部１１、２１の少なくとも一方の表面を銀などのスリーブの材料よりも軟らかい金属でめっきしておくと、強く嵌合されることにより相手が食い込むので一層確実に接触する。このように、袋ナット３を十分締め付けることにより、嵌合面、めっきの食い込み、さらに袋ナットのねじ部の３つの経路で金属同士の接触が保持され、電流の導通が確保できる。
【００１２】
本発明の電線コネクタの寸法は特に限定されるものではないが、一例を挙げれば、スリーブの両端の円筒部分の外径が5.4ｍｍ、内径が3.4ｍｍで、5.5ｍｍ2の電線を使用する。嵌合部の根元の径は５ｍｍで、円錐状の場合の頂角は30度である。
両側のスリーブや袋ナットには、工具によって締め付けやすいよう、平行部を加工しておくことが望ましい。平行部に代えて、ローレット加工を施してもよい。また、袋ナットの回り止めとして図１に示したような止めねじ３３を設けるとよい。
【００１３】
なお、このままの状態では金属部分が露出しているので、屋外に使用する場合などに都合が悪い。そこで両側のスリーブおよび袋ナットの全体を絶縁性の樹脂チューブ等で包むようにすることが望ましい。熱収縮性の樹脂製チューブが各種市販されている。これをかぶせ、熱を加えてスリーブや袋ナットに密着させると、絶縁および防水機能を付与することができる。チューブ以外にも、２つ割り形式のカバーなども使用できる。
【図面の簡単な説明】
【００１４】
【図１】本発明実施例の電線コネクタの組立図である。
【図２】本発明実施例の一方のスリーブを示す断面図である。
【図３】本発明実施例の他方のスリーブを示す断面図である。
【図４】本発明実施例の袋ナットを示す断面図である。
【図５】ＪＩＳの付図に示されていた公知の差し込み式のコネクタの例を示す断面図である。
【図６】ＪＩＳの付図に示されていた公知の突き合わせ式のコネクタの例を示す断面図である。
【図７】従来公知のピンコンタクトを示す断面図である。
【符号の説明】
【００１５】
１、２、４１    スリーブ
３    袋ナット
４、６    栓
５、７    栓受け
８    ピンコンタクト
１１、２１    円錐状嵌合部
１２、３１    ねじ部
１３、２３    後端側
２２    つば部
３２    段付き部
３３    止めねじ
４２、５２、６２、７２    絶縁台
５１    プラグ
６１、７１、８１    ピン
７３、８３    導電ばね
８２    本体
【図１】
2009295350.tif 000003
【図２】
2009295350.tif 000004
【図３】
2009295350.tif 000005
【図４】
2009295350.tif 000006
【図５】
2009295350.tif 000007
【図６】
2009295350.tif 000008
【図７】
2009295350.tif 000009